(57)【要約】      （修正有）【課題】アップリンク伝送に用いるための最適なビームパターンを選択するＯＦＤＭベースの通信システムのための適応型ビームフォーミングアンテナを提供する方法及び装置を提供する。【解決手段】シンボルプロセッサ４００は、直交周波数分割多重（ＯＦＤＭ）シンボルから巡回プレフィックス値の行列Ａおよびテール値の行列Ｂを形成する形成回路４０４、４０６と、行列Ａおよび行列Ｂから加算行列Ｓを形成する加算回路４０８および差分行列Ｄを形成する差分回路４１０と、ビームフォーマプリセット行列Ｗ４１８に行列Ｓおよび行列Ｄを乗算して行列Ｐおよび行列Ｑを判定する乗算する乗算回路４１２と、行列Ｐおよび行列Ｑからビーム識別子を判定する判定回路４１６と、を含む。【選択図】図４
2020188462.tif 000002
【特許請求の範囲】
【請求項１】
受信された直交周波数分割多重（ＯＦＤＭ）シンボルから、巡回プレフィックス値の行列（Ａ）およびテール値の行列（Ｂ）を形成する段階と、
前記行列（Ａ）および前記行列（Ｂ）から加算行列（Ｓ）および差分行列（Ｄ）を形成する段階と、
ビームフォーマプリセット行列（Ｗ）に、前記加算行列（Ｓ）および前記差分行列（Ｄ）を乗算して、行列（Ｐ）および行列（Ｑ）を判定する、乗算する段階と、
前記行列（Ｐ）および前記行列（Ｑ）からビーム識別子を判定する段階と
を備える、方法。
【請求項２】
選択されたビームパターンを形成すべく重み付けされる複数のアンテナ（Ｎ）において前記ＯＦＤＭシンボルを受信する段階をさらに備える、請求項１に記載の方法。
【請求項３】
ＯＦＤＭシンボルのサブフレームにおいて前記ＯＦＤＭシンボルを受信する段階をさらに備える、請求項１または２に記載の方法。
【請求項４】
前記加算行列（Ｓ）を形成する前記段階の動作は、Ｓ＝Ａ＋Ｂに従って前記加算行列を形成する段階を含む、請求項１から３の何れか一項に記載の方法。
【請求項５】
前記差分行列（Ｄ）を形成する前記段階の動作は、Ｄ＝Ａ−Ｂに従って前記差分行列を形成する段階を含む、請求項１から４の何れか一項に記載の方法。
【請求項６】
前記ビームフォーマプリセット行列（Ｗ）を乗算する前記段階の動作は、
Ｐ＝ＷＨＳに従って前記行列（Ｐ）を生成する段階と、
Ｑ＝ＷＨＤに従って前記行列（Ｑ）を生成する段階と
を含む、請求項１から５の何れか一項に記載の方法。
【請求項７】
前記ビーム識別子を判定する前記段階の動作は、
【数２】
2020188462.tif 000004
に従って、Ｍ個の利用可能なプリセットの中からビームフォーマプリセット（ｍ）を判定する段階を含む、請求項６に記載の方法。
【請求項８】
各受信されたサブフレームのシンボルに基づいて、前記ビーム識別子を判定するための方法を実行する段階をさらに備える、請求項１から７の何れか一項に記載の方法。
【請求項９】
受信された直交周波数分割多重（ＯＦＤＭ）シンボルから巡回プレフィックス値の行列（Ａ）を形成する第１行列形成回路と、
前記受信された直交周波数分割多重（ＯＦＤＭ）シンボルからテール値の行列（Ｂ）を形成する第２行列形成回路と、
前記行列（Ａ）および前記行列（Ｂ）から加算行列（Ｓ）を形成する加算回路と、
前記行列（Ａ）および前記行列（Ｂ）から差分行列（Ｄ）を形成する差分回路と、
ビームフォーマプリセット行列（Ｗ）に前記加算行列（Ｓ）および前記差分行列（Ｄ）を乗算して行列（Ｐ）および行列（Ｑ）を判定する乗算回路と、
前記行列（Ｐ）および前記行列（Ｑ）からビーム識別子を判定する判定回路と
を備える、装置。
【請求項１０】
選択されたビームパターンを形成すべく重み付けされる複数のアンテナ（Ｎ）において前記ＯＦＤＭシンボルを受信するシンボル受信回路をさらに備える、請求項９に記載の装置。
【請求項１１】
シンボル受信回路は、ＯＦＤＭシンボルのサブフレームにおいて前記ＯＦＤＭシンボルを受信する、請求項９または１０に記載の装置。
【請求項１２】
前記加算回路は、Ｓ＝Ａ＋Ｂに従って前記加算行列（Ｓ）を形成する、請求項９から１１の何れか一項に記載の装置。
【請求項１３】
前記差分回路は、Ｄ＝Ａ−Ｂに従って前記差分行列（Ｄ）を形成する、請求項９に記載の装置。
【請求項１４】
前記乗算回路は、
Ｐ＝ＷＨＳに従って前記行列（Ｐ）を生成し、
Ｑ＝ＷＨＤに従って前記行列（Ｑ）を生成するために動作する、
請求項９から１３の何れか一項に記載の装置。
【請求項１５】
前記判定回路は、
【数３】
2020188462.tif 000005
に従って、Ｍ個の利用可能なプリセットの中からビームフォーマプリセット（ｍ）を判定する、請求項１４に記載の装置。
【請求項１６】
前記ビーム識別子は、各受信されたサブフレームのシンボルに基づいて判定される、請求項９に記載の装置。
【請求項１７】
受信された直交周波数分割多重（ＯＦＤＭ）シンボルから巡回プレフィックス値の行列（Ａ）およびテール値の行列（Ｂ）を形成する手段と、
前記行列（Ａ）および前記行列（Ｂ）から加算行列（Ｓ）および差分行列（Ｄ）を形成する手段と、
ビームフォーマプリセット行列（Ｗ）に前記加算行列（Ｓ）および前記差分行列（Ｄ）を乗算して、行列（Ｐ）および行列（Ｑ）を判定する手段と、
前記行列（Ｐ）および前記行列（Ｑ）からビーム識別子を判定する手段と
を備える、装置。
【請求項１８】
前記加算行列（Ｓ）を形成する前記手段は、Ｓ＝Ａ＋Ｂに従って前記加算行列を形成する手段を含み、前記差分行列（Ｄ）を形成する前記手段は、Ｄ＝Ａ−Ｂに従って前記差分行列を形成する手段を含む、請求項１７に記載の装置。
【請求項１９】
前記ビームフォーマプリセット行列（Ｗ）を乗算する前記手段は、
Ｐ＝ＷＨＳに従って前記行列（Ｐ）を生成する手段と、
Ｑ＝ＷＨＤに従って前記行列（Ｑ）を生成する手段と
を含む、請求項１７に記載の装置。
【請求項２０】
前記ビーム識別子を判定する前記手段は、
【数４】
2020188462.tif 000006
に従って、Ｍ個の利用可能なプリセットの中からビームフォーマプリセット（ｍ）を判定する手段を含む、請求項１９に記載の装置。
【発明の詳細な説明】
【技術分野】
【０００１】
［関連出願の相互参照］
本願は、２０１９年５月１１日に出願された、「ＯＦＤＭベースの通信システムに適応型ビームフォーミングアンテナを提供する方法及び装置」と題する米国仮出願第６２／８４６，６６１号から優先権の利益を主張し、当該出願はその全体が参照によって本明細書に組み込まれる。
【０００２】
本発明の複数の例示的な実施形態は、通信ネットワークの設計および動作に関する。より具体的に、本発明の複数の例示的な実施形態は、無線通信ネットワークを介してデータストリームを受信および処理することに関する。
【背景技術】
【０００３】
ロングタームエボリューション（ＬＴＥ）または第５世代（５Ｇ）新無線（ＮＲ）セルラサービスなどの高速通信ネットワークを介するモバイルおよびリモートデータアクセスの急速な成長傾向も伴い、データストリームを正確に搬送および解読することはますます難易度が上がり、困難になっている。そのようなシステムは、大きなパスロスを有し得るマルチパス伝送を補償する必要がある。
【０００４】
５ＧのＮＲシステムでは、ビームフォーマは超高周波数範囲において大きなパスロスを補償する最も現実的な方法のうち１つであるので、ビームフォーマの重要性が強調される。一般的に、ダウンリンクビームフォーマのためのビーム選択は、ＮＲ基地局（ｇＮＢ）によって伝送される候補ビームのためのチャネル品質インジケータ（ＣＱＩ）として受信されるユーザ機器（ＵＥ）フィードバックから取得される。リンクの相互関係が維持されるという考えに基づいて、ダウンリンクビーム選択はアップリンクビームに対しても同様に最適なビーム選択とみなされる。しかし、１または複数の干渉信号が存在する場合、リンクの相互関係は、アップリンク伝送を受信するための最適なビーム選択を提供しない可能性がある。
【発明の概要】
【０００５】
様々な例示的な実施形態において、適応型ビーム選択のために方法及び装置が提供され、無線通信ネットワークにおいてアップリンク伝送を受信する。一実施形態において、ＯＦＤＭシンボルの巡回プレフィックスおよびテール部は、伝送中に発生し得る差分のために比較される。差分は、アップリンク伝送の受信に用いられるプリセットビームパターンを識別するために処理される。実施形態は、ＯＦＤＭシンボルの構造を利用し、ビームフォーマ選択に通常用いられる信号特徴を必要としない。
【０００６】
一実施形態において、直交周波数分割多重（ＯＦＤＭ）シンボルから巡回プレフィックス値の行列（Ａ）およびテール値の行列（Ｂ）を形成する段階と、行列Ａおよび行列Ｂから加算行列（Ｓ）および差分行列（Ｄ）を形成する段階とを含む方法が提供される。また、方法は、ビームフォーマプリセット行列（Ｗ）に行列Ｓおよび行列Ｄを乗算する段階であって、行列（Ｐ）および行列（Ｑ）を判定する、乗算する段階と、Ｐ行列およびＱ行列からビーム識別子を判定する段階とを含む。
【０００７】
一実施形態において受信された直交周波数分割多重（ＯＦＤＭ）シンボルから巡回プレフィックス値の行列（Ａ）を形成する第１行列形成回路と、受信された直交周波数分割多重ＯＦＤＭ）シンボルからテール値の行列（Ｂ）を形成する第２行列形成回路とを備える装置が提供される。また、装置は、行列Ａおよび行列Ｂから加算行列（Ｓ）を形成する加算回路と、行列Ａおよび行列Ｂから差分行列（Ｄ）を形成する差分回路を備える。また、装置は、ビームフォーマプリセット行列（Ｗ）に行列Ｓおよび行列Ｄを乗算して行列（Ｐ）および行列（Ｑ）を判定する乗算回路と、Ｐ行列およびＱ行列からビーム識別子を判定する判定回路とを備える。
【０００８】
本発明の（１または複数の）例示的な実施形態の追加的な特徴および利益は、以下に記載される詳細な説明、図面および請求項から明らかになる。
【図面の簡単な説明】
【０００９】
本発明の例示的側面は、以下に与えられる詳細な説明から、および本発明の様々な実施形態の添付の図面からより完全に理解される。しかし、以下に挙げられる詳細な説明および本発明の様々な実施形態の添付の図面は、本発明を具体的な実施形態に限定するように解釈されるべきではなく、説明および理解のみを目的とする。
【００１０】
【図１】アップリンク通信を受信するためのビームパターンを選択するのに用いられる適応型ビーム選択器の例示的な実施形態を含むトランシーバを有する通信ネットワークを示す。
【００１１】
【図２】図１に示される適応型ビーム選択器の例示的かつ詳細な実施形態を示す。
【００１２】
【図３】図２に示される適応型ビーム選択器における使用のためのシンボルプロセッサの例示的かつ詳細な実施形態を示す。
【００１３】
【図４】図２に示される適応型ビーム選択器における使用のためのシンボルプロセッサの例示的かつ詳細な実施形態を示す。
【００１４】
【図５】通信システムにおいてアップリンク伝送を受信するための適応型ビーム選択を実行するための例示的な方法を示す。
【００１５】
【図６】通信システムにおいてアップリンク伝送を受信するための適応型ビーム選択を実施する例示的な装置を示す。
【発明を実施するための形態】
【００１６】
以下の詳細な説明の目的は、本発明の１または複数の実施形態の理解を提供することである。当業者であれば、以下の詳細な説明が単なる例示的なものに過ぎず、いかなる方法の限定も意図されていないことを認識するであろう。他の実施形態を、本開示および／または説明の利益を有するそのような当業者に示唆することは容易である。
【００１７】
明確さのために、本明細書に説明される実装の一連の特徴の全てが図示および説明されているわけではない。もちろん、そのような実際の実装の進展において、応用およびビジネスに関する制約を順守するなど開発者の具体的な目的を実現すべく、多数の実装固有の決定がなされてよいことと、これらの具体的な目的は、実装および開発者によって変動することとが理解されるであろう。さらに、そのような開発の努力は複雑であり時間のかかることであり得るが、しかし本開示の（１または複数の）実施形態の利益を有する当業者にとってはエンジニアリングの日常的な作業であることが理解されるであろう。
【００１８】
図面に示される本発明の様々な実施形態は、縮尺通りに描かれない可能性がある。むしろ、様々な特徴の寸法は、明確さのために拡大または縮小される可能性がある。加えて、一部の図面は明確さのために簡素化される可能性がある。従って、図面は、所与の装置（例えば、デバイス）または方法のコンポーネントの全てを示してはいない可能性がある。同じまたは類似の部分を参照すべく、図面および以下の詳細な説明を通じて同じ参照インジケータが用いられる。
【００１９】
本明細書において、用語「システム」または「デバイス」は一般的に、任意の数のコンポーネント、要素、サブシステム、デバイス、パケット、スイッチ要素、パケットスイッチ、アクセススイッチ、ルータ、ネットワーク、モデム、基地局、ｅＮＢ（ｅＮｏｄｅＢ）、コンピュータおよび／もしくは通信のデバイスもしくはメカニズム、またはこれらのコンポーネントの組み合わせを説明するのに用いられる。用語「コンピュータ」は、命令を実行できるプロセッサ、メモリおよびバスを含む。コンピュータは、１つまたは一群のコンピュータ、パーソナルコンピュータ、ワークステーション、メインフレーム、またはこれらのコンピュータの組み合わせを指す。
【００２０】
直交周波数分割多重（ＯＦＤＭ）は、マルチパスの軽減および帯域幅の効率のために、デジタル無線ブロードキャストおよび屋内の無線データネットワークにおいて利用されている。無線環境において、性能の向上のために時空間的多様性が採用され得る。ＯＦＤＭシステムに時空間的多様性を提供するブラインドアプローチを適用することによって、より高い帯域幅の効率を実現することもできる。無線アプリケーションは、速いチャネル適応およびトラッキング能力を有するチャネルイコライザを必要とするので、受信された信号統計の情報なく信号の構造を利用することがより有利である。様々な実施形態において、ＯＦＤＭシステムにおいて巡回プレフィックスを用いるブラインド時空間的均等化アルゴリズムが提供される。受信された信号の統計を用いる代わりに、ＯＦＤＭシンボルの信号／構造、すなわち巡回プレフィックスが利用される。最小二乗法を用いて、１つのＯＦＤＭシンボルフレームにおける受信された信号サンプルに時空間的イコライザが適用される。本発明の実施形態は、無線通信ネットワークにおける適応型ビーム選択のための方法および／または装置を開示する。
【００２１】
図１は、アップリンク通信を受信するためのビームパターンを選択するのに用いられる適応型ビーム選択器（ＡＢＳ）１０６の例示的な実施形態を含むＭＩＭＯトランシーバ１０２を有する通信ネットワーク１００を示す。ＭＩＭＯトランシーバ１０２は、複数のアンテナ１０４に結合される。ダウンリンク伝送中に、ＭＩＭＯトランシーバ１０２は、１または複数の伝送ビームパターン１０８を用いて情報を伝送するようにアンテナ１０４を制御する。例えば、ダウンリンクビームパターン１１２は、ユーザ機器１１０にダウンリンク情報を伝送するように形成され得る。ユーザ機器１１０は、受信されたダウンリンク伝送の品質を示すチャネル品質情報で応答する。トランシーバは、チャネル品質情報を用いて、ダウンリンク伝送に用いられる適切なビームパターンを調整または選択する。
【００２２】
しかし、アップリンク伝送の場合、ビームパターン１１２は最適な選択肢ではない可能性がある。例えば、ビームパターン１１２を利用することは、干渉伝送ソース１１４から干渉信号を受信する結果をもたらし得る。ソース１１４からの干渉信号を拒絶している間にユーザ機器１１０からアップリンク伝送を受信すべく、ＭＩＭＯトランシーバ１０２は、干渉ソース１１４からの伝送を拒絶または弱化させつつユーザ機器１１０からアップリンク伝送を受信し得る異なるビームパターン（ビームパターン１１６など）を利用または選択する。従って、ネットワーク１００は、アップリンク動作およびダウンリンク動作の両方において複数のビームパターンで動作する。最適なアップリンクビームパターンは最適なダウンリンクビームパターンと異なり得るので、アップリンク伝送に用いるための最適なビームパターンを選択する方法が必要である。
【００２３】
例示的な実施形態において、ＭＩＭＯトランシーバ１０２は、アップリンク伝送を受信する最適なビームを選択するＡＢＳ１０６を含む。ＡＢＳ１０６は、受信されたアップリンクシンボルの解析に基づいて、アップリンク伝送を受信するのに用いられる最適なビームパターンを判定または選択する。ＡＢＳ１０６のより詳細な説明は以下に提供される。
【００２４】
図２は、図１に示されているように、適応型ビーム選択器１０６を有するトランシーバ１０２の例示的かつ詳細な実施形態を示す。トランシーバ１０２は、ビームフォーマ２０２、サブフレーム受信器２０４、および適応型ビーム選択器１０６を有する。一実施形態において、ＡＢＳ１０６は、シンボルプロセッサ２０６およびビームパターン選択器２０８を有する。ビームフォーマ２０２は、ビームプリセット重み信号２１４に従って、アンテナ１０４からの受信された信号に重みを適用し、アップリンク伝送を受信するのに用いられるプリセットビームパターンを形成する。一実施形態において、ビームパターン選択器２０８は、プリセットビーム２１８を記憶し、ビームプリセット重み信号２１４を出力する。
【００２５】
動作中に、アップリンク伝送は、ビームフォーマ２０２によって受信および処理され、その結果の信号はサブフレーム受信器２０４に入力される。一実施形態において、ビームパターン選択器２０８は、ビームフォーマ２０２に、プリセットビームパターン２１８から選択されるプリセットビームパターンを実装させるビームプリセット重み信号２１４を出力する。ビームパターン選択器２０８は、受信されたシステム選択信号２１６に基づいて、プリセットビームを選択するように動作する。例えば、最初のビームパターンはシステム選択信号２１６を用いて選択され得る。サブフレーム受信器２０４は、サブフレームのシンボルを識別し、トランシーバ１０２における他のエンティティにサブフレームシンボル２１０を出力する。サブフレームシンボル２１０は、ＡＢＳ１０６にも入力される。シンボルプロセッサ２０６は、サブフレームシンボル２１０を受信し、ビーム選択アルゴリズムに応じてこれらのシンボルを処理し、ビームパターン選択器２０８に入力されるプリセットビーム識別子２１２を判定する。ビームパターン選択器２０８は、プリセットビーム識別子２１２を用いてビームプリセット重み信号２１４を生成し、ビームフォーマ２０２にプリセットビームパターン２１８のうち１つを実装させる。従って、アップリンクビームパターンの選択は、受信されたシンボルに基づく。当該処理は、各サブフレームのシンボルに対して繰り返され、その結果適応型ビーム選択が実現される。
【００２６】
図３は、図２に示される適応型ビーム選択器１０６における使用のためのシンボルプロセッサ２０６の例示的かつ詳細な実施形態を示す。一実施形態において、シンボルプロセッサ２０６は、バス３１０を介して全て結合され通信する、シンボル分析器３０２、メモリ３０４、シンボル受信器３０６および出力インターフェース３０８を備える。
【００２７】
動作中に、シンボル受信器３０６は、ユーザ機器からのアップリンク伝送で受信されているシンボル２１０を受信する。例えば、ビームフォーマ２０２およびサブフレーム受信器２０４は、受信されたアップリンク伝送を処理して、受信されたシンボル２１０を生成する。当該シンボルは、シンボルを分析する場合にメモリ３０４を用いるシンボル分析器３０２に渡される。一実施形態において、メモリ３０４は、シンボル分析器によって用いられ、アップリンク伝送を受信するのに用いられるビームパターンを識別する、ビーム選択アルゴリズム３１８を記憶する。また、メモリ３０４は、ビームフォーマプリセット行列Ｗを記憶する。シンボル分析器３０２が選択されるべきプリセットビームを判定した後、出力インターフェース３０８は、プリセットビーム識別子２１２をビームパターン選択器２０８に出力する。ビーム選択アルゴリズム３１８のより詳細な説明は、以下に提供される。
【００２８】
図３は、受信されたシンボル構造３１６も示す。シンボル構造は、テール部３１４を含む巡回プレフィックス部３１２および変調されたシンボル部３２２を有する。巡回プレフィックス部３１２は、ｘ１（ｋ）からｘｉ（ｋ）の値を含む。変調されたシンボル部３２２はｘｉ＋１からｘＨ＋ｉ（ｋ）の値を含み、テール部３１４はｘＨ＋１（ｋ）からｘＨ＋ｉ（ｋ）の値を含む。
【００２９】
テール部３１４および巡回プレフィックス部３１２は、伝送の前に同一である。伝送中の歪みおよび／または干渉は、巡回プレフィックス３１２とテール部３１４との間の差分をもたらし得る。様々な例示的な実施形態において、これらの差分は、適切なビーム選択を判定するのに用いられる。
【００３０】
［ビーム選択アルゴリズム］
様々な実施形態において、ビーム選択アルゴリズムは、ＯＦＤＭ信号構造を利用し、ＵＥおよび基地局の両方において実装され得る、５ＧのＮＲおよびＬＴＥのための干渉拒絶ビーム選択のために提供される。
【００３１】
ＯＦＤＭ通信ネットワークにおいて、ＣＰは、テールの繰り返しまたはシンボルの端部を含むシンボル構造をプレフィックスすることを指す。受信器は概して、巡回プレフィックスサンプルを破棄する。巡回プレフィックスは、２つの機能、すなわち、（１）ガードインターバルを提供し、前のシンボルから信号干渉を解消する機能、および（２）ＣＰは、シンボルの端部を繰り返す機能を果たす。その結果、周波数選択的マルチパスチャネルの線形畳み込みが、離散フーリエ変換（ＤＦＴ）などの周波数領域を用いてモデル化され得る。当該アプローチは、チャネルの推定および均等化などの簡単な周波数領域処理を提供する。 
【００３２】
一実施形態において、シンボル分析器３０２はビーム選択アルゴリズム３１８を実行し、以下の動作を実施し、ここで、受信器はＮ個の要素のアンテナアレイと、Ｍ個の候補ビームフォーマプリセットと、を有し、受信器に伝送される必要な信号は、ＣＰが追加されたＯＦＤＭ（Ａ）信号である。
【００３３】
１．Ｎ個の複数のアンテナを用いてＯＦＤＭ（Ａ）シンボルを受信する。
以下のＯＦＤＭ（Ａ）シンボルの構造的事実およびその伝送は、ビーム選択アルゴリズムによって利用される。
Ａ．巡回プレフィックスおよびその元の部分（例えば、ＯＦＤＭ（Ａ）シンボルのテール）は、伝送の前に同一である。
Ｂ．シンボルは、より高い周波数帯域において非常に小さい時間分散性を受ける。
Ｃ．チャネル応答は、シンボル時間内に準静的である。
【００３４】
２．ＣＰ行列（Ｎ×ＬＣＰ）およびテール行列（Ｎ×ＬＴＬ）の加算行列（Ｓ）を計算し、ここで、ＬＣＰ＝ＬＴＬ（巡回プレフィックスの長さ）である。加算行列Ｓは、以下の特性を有する。
Ａ．通常の受信された信号より３ｄＢ良いＳＮＲ。
Ｂ．当該ＳＮＲは、ビームファインディングの基準シンボルとして用いられ得る。
【００３５】
３．ＣＰ行列およびテール行列の差分行列（Ｄ）を計算する。行列Ｄは、必要な信号と関連付けられないノイズおよび不要な信号部分を含む。
【００３６】
４．ビームフォーマプリセット行列（Ｗ）（例えば、３２０）にＳ行列およびＤ行列の両方を乗算して、Ｐ行列およびＱ行列を形成する。ビームフォーマプリセット行列Ｗは（Ｎ×Ｍ）で示得て、Ｍはプリセットビームの数である。従って、プリセットビーム（ｍ）毎に、特定のプリセットビームパターンを形成するために受信アンテナに適用される重み（Ｎ）のセットがある。
Ａ．Ｐ＝ＷＨＳ（Ｍ×ＬＣＰ）は必要な信号の受信を表す。
Ｂ．Ｑ＝ＷＨＤ（Ｍ×ＬＣＰ）は不要な信号の受信を表す。
【００３７】
５．以下に従って、Ｍ個の利用可能なプリセットの中から最適なビームフォーマプリセット（ｍ）を判定する。
【数１】
2020188462.tif 000003
ここで、ｓｌおよびｄｌはそれぞれ、行列Ｓおよび行列Ｄのｌ番目の列のベクトルである（例えば、ｓｍ，ｌおよびｄｍ，ｌは、行列Ｓおよび行列Ｄのｍ番目の行およびｌ番目の列の要素である）。
【００３８】
様々な例示的な実施形態において、適応型ビーム選択方法及び装置は、以下の利点を提供する。
１）干渉信号の特徴を知ることなく、干渉拒絶ビームを判定する（ベースバンドモデムの外側の前端部において実装され得る）
２）候補ビームは、ベースバンド受信器においてさらに検証および精密化され得る。
３）既存のビームフォーミング技術と一緒に適用可能である。
４）リンクの相互関係が保証されていない場合にも適用可能である（例えば、ＦＤＤにおいて実装され得る）
５）基地局とユーザ機器との両方、およびビームフォーマを有する他のＯＦＤＭベースの通信システムに適用可能である。
【００３９】
従って、様々な例示的な実施形態において、適応型ビーム選択アルゴリズムは、ＯＦＤＭ／ＳＣ‐ＦＤＭＡ信号構造（巡回プレフィックス）を利用してアップリンクビーム選択を判定し、ＯＦＤＭＡの場合、当該アルゴリズムは周波数選択的干渉拒絶ビームフォーミングをサポートする。
【００４０】
図４は、図２に示される適応型ビーム選択器１０６における使用のためのシンボルプロセッサ４００の例示的かつ詳細な実施形態を示す。一実施形態において、シンボルプロセッサ４００は、シンボル受信回路４０２、行列Ａ形成回路４０４、行列Ｂ形成回路４０６、加算回路４０８、差分回路４１０、乗算回路４１２、メモリ４１４および判定回路４１６を備える。一実施形態において、シンボルプロセッサ４００の回路の各々は、プログラマブルアレイ、ディスクリート回路、メモリ、レジスタ、ロジック、制御回路、および／または他の適切なコンポーネントを含むコンポーネントから選択される、選択されたコンポーネントを含む。
【００４１】
動作中に、シンボル受信回路４０２は、ユーザ機器からのアップリンク伝送で受信されているシンボル２１０を受信する。例えば、ビームフォーマ２０２およびサブフレーム受信器２０４は、受信されたアップリンク伝送を処理して、受信されたシンボル２１０を生成する。シンボルは、上記のように行列Ａを形成する行列Ａ形成回路４０４に入力される。また、シンボルは、上記のように行列Ｂを形成する行列Ｂ形成回路４０４に入力される。行列Ａおよび行列Ｂは、加算回路４０８および差分回路４１０に入力され、それぞれ加算行列Ｓおよび差分行列Ｄを形成する。乗算回路４１２は、Ｓ行列およびＤ行列を受信し、メモリ４１４から取得されるビームフォーマプリセット行列Ｗ４１８によってＳ行列およびＤ行列を乗算する。上記のように、乗算回路４１２はＰ行列およびＱ行列を生成する。判定回路４１６は、Ｐ行列およびＱ行列を受信し、プリセットビーム識別子２１２として出力される、使用すべき光ビームパターンを判定する。従って、シンボルプロセッサ４００は、受信されたシンボルを処理し、アップリンク通信の受信における使用のための最適なビームパターンを判定する。
【００４２】
図５は、適応型ビーム選択器を操作してアップリンク伝送の受信に最適なビームを選択する例示的な方法５００を示す。例えば、方法５００は、図１および図２に示される適応型ビーム選択器１０６とともに使用するのに適切である。
【００４３】
ブロック５０２において、ＯＦＤＭシンボルの受信されたサブフレームは、適応型ビーム選択器に入力される。例えば、シンボル２１０のサブフレームは、適応型ビーム選択器１０６に入力され、シンボル受信器３０６によって受信される。シンボル受信器３０６は、シンボル分析器３０２にシンボルを渡す。
【００４４】
ブロック５０５において、シンボル巡回プレフィックス値の行列（Ａ）が、シンボルの受信されたサブフレームから形成される。例えば、シンボル分析器３０２は、ビーム選択アルゴリズム３１８を実行して、行列Ａを形成する。
【００４５】
ブロック５０６において、シンボルテール値の行列（Ｂ）が、シンボルの受信されたサブフレームから形成される。当該２つの行列は同一であるべきであるが、伝送中の歪みまたは干渉が原因で、当該２つの行列は、現在は異なる値を有する可能性がある。例えば、シンボル分析器３０２は、ビーム選択アルゴリズム３１８を実行して、行列Ｂを形成する。
【００４６】
ブロック５０８において、加算（Ｓ）行列および差分（Ｄ）行列は、Ａ行列およびＢ行列から計算される。例えば、Ｓ行列およびＤ行列は、上記にようにＡ行列およびＢ行列から形成される。例えば、シンボル分析器３０２は、ビーム選択アルゴリズム３１８を実行して、Ｓ行列およびＤ行列を形成する。
【００４７】
上記のように、ブロック５１０において、ビームフォーマプリセット行列Ｗは、加算Ｓ行列および差分Ｄ行列によって乗算され、必要な信号を表す第１行列Ｐおよび不要な信号を表す第２行列Ｑを形成する。例えば、シンボル分析器３０２は、ビーム選択アルゴリズム３１８を実行して、Ｐ行列およびＱ行列を形成する。
【００４８】
ブロック５１２において、使用されるべき最適なプリセットビームは、Ｐ行列およびＱ行列から判定される。例えば、上記のように、シンボル分析器３０２は、ビーム選択アルゴリズム３１８を実行して、選択すべき最適なプリセットビームを判定する。
【００４９】
従って、方法５００は、アップリンク伝送の受信に最適なビームを選択すべく動作する。方法５００は例示的であり、限定的でなく、方法５００の動作は、実施形態の範囲内で並べ替えられ、追加され、削除され、またはその他の方法で修正され得ることを留意されたい。
【００５０】
図６は、アップリンク伝送の受信に最適なビームを選択する適応型ビーム選択器６００の例示的な実施形態を示す。例えば、ＡＢＳ６００は、上記のように、ＡＢＳ１０６としての使用に適切である。
【００５１】
一実施形態において、ＡＢＳ６００は、直交周波数分割多重（ＯＦＤＭ）シンボルから巡回プレフィックス値の行列（Ａ）およびテール値の行列（Ｂ）を形成する手段６０２を含み、当該手段は一実施形態において、シンボル分析器３０２または行列Ａ形成回路４０４および行列Ｂ形成回路４０６を含む。また、ＡＢＳ６００は、行列Ａおよび行列Ｂから加算行列（Ｓ）および差分行列（Ｄ）を形成する手段６０４を含み、当該手段は一実施形態において、シンボル分析器３０２または加算回路４０８および差分回路４１０を含む。また、ＡＢＳ６００は、ビームフォーマプリセット行列（Ｗ）に行列Ｓおよび行列Ｄを乗算して必要な信号行列（Ｐ）および不要な信号行列（Ｑ）を判定する手段６０６を含み、当該手段は一実施形態において、シンボル分析器３０２または乗算回路４１２を含む。また、ＡＢＳ６００は、必要な行列Ｐおよび不要な行列Ｑに基づいて、選択されたビーム識別子を判定するための手段６０８を含む。
【００５２】
本発明の具体的な実施形態が示され説明されているが、当業者には、本明細書の教示に基づいて、本発明のこの（１または複数の）例示的な実施形態およびそのより幅広い側面から逸脱することなく、変更および修正がなされ得ることが明らかであろう。従って、添付の特許請求の範囲は、本発明のこの（１または複数の）例示的な実施形態の本来の趣旨および範囲内にあるものとして、全てのそのような変更および修正をそれらの範囲内に包含することが意図されている。
【図１】
2020188462.tif 000007
【図２】
2020188462.tif 000008
【図３】
2020188462.tif 000009
【図４】
2020188462.tif 000010
【図５】
2020188462.tif 000011
【図６】
2020188462.tif 000012
【外国語明細書】
2020188462000001.pdf